(57)【要約】【課題】ＣＤＭＡ無線通信システムにおいて切換えビームアンテナと共に稼動する無線送受信ユニット（ＷＴＲＵ：wireless transmit/receive unit）に測定の機会が提供される。【解決手段】切換えビームアンテナは、複数の指向性ビーム及び無指向性ビームを生成するスマートアンテナである。パケットデータ送信が集中する性質により、呼出し中に非活動又は低トラヒックの期間が生成される。ＷＴＲＵはこれらの非活動又は低トラヒックの期間に信号を受信し測定するために、選択されたアンテナビーム以外のアンテナビームに切り換える。さらに、ネットワークは、ＷＴＲＵが切換えビームアンテナを使用して稼動しているという事実を知っている場合、チャネル割当てを決定する際にこの情報を使用することができ、従って、切換えビームアンテナの稼動をサポートするために、ＷＴＲＵに測定の機会を頻繁に提供する。【選択図】図１
2010074841.tif 000002
【特許請求の範囲】
【請求項１】
無線通信システムであって
複数のセルと、
前記複数のセル内で稼動する複数の無線送受信ユニット（ＷＴＲＵ：wireless transmit/receive unit）であって、各ＷＴＲＵは、
複数の指向性ビーム及び無指向性ビームを含むアンテナビームを生成する切換えビームアンテナと、
前記切換えビームアンテナと結合されていて、選択されたアンテナビームを用い、少なくとも１つのセルとデータを交換する活動状態において動作するように構成されたトランシーバであって、前記データは割り当てられた基礎のチャネル上で交換され、もし必要ならば、割り当てられた補充のチャネル上で交換される前記トランシーバと、
前記トランシーバと前記切換えビームアンテナとに結合されていて、前記補充チャネルが割り当てられていない時に、前記少なくとも１つのセルからの信号を受信するために前記選択されたアンテナビーム以外のアンテナビームへ切り替えるように構成されたコントローラと、
前記トランシーバと前記コントローラとに結合されていて、各切り換えられたアンテナビームについて、前記少なくとも１つのセルからの前記受信した信号を測定するように構成された測定ユニットと
を備えたことを特徴とする無線通信システム。
【請求項２】
前記コントローラは、前記測定された信号に基づいてアンテナビームを選択するように構成されていることを特徴とする請求項１に無線通信システム。
【請求項３】
前記測定された受信した信号は、パイロット信号を含むことを特徴とする請求項１に記載の無線通信システム。
【請求項４】
前記測定ユニットは、前記受信した信号の、信号対干渉比、信号対雑音比及び信号強度の少なくとも１つを測定するように構成されていることを特徴とする請求項１に記載の無線通信システム。
【請求項５】
複数のセルを持つ無線通信システム内で稼動する無線送受信ユニット（ＷＴＲＵ：wireless transmit/receive unit）であって、各ＷＴＲＵは、
複数の指向性ビーム及び無指向性ビームを含むアンテナビームを生成する切換えビームアンテナと、
前記切換えビームアンテナと結合されていて、選択されたアンテナビームを用い、少なくとも１つのセルとデータを交換する活動状態において動作するように構成されたトランシーバであって、前記データは割り当てられた基礎のチャネル上で交換され、もし必要ならば、割り当てられた補充のチャネル上で交換される前記トランシーバと、
前記トランシーバと前記切換えビームアンテナとに結合されていて、前記補充チャネルが割り当てられていない時に、前記少なくとも１つのセルからの信号を受信するために前記選択されたアンテナビーム以外のアンテナビームへ切り替えるように構成されたコントローラと、
前記トランシーバと前記コントローラとに結合されていて、各切り換えられたアンテナビームについて、前記少なくとも１つのセルからの前記受信した信号を測定するように構成された測定ユニットと
を備えたことを特徴とするＷＴＲＵ。
【請求項６】
前記コントローラは、前記測定された信号に基づいてアンテナビームを選択するように構成されていることを特徴とする請求項５に記載のＷＴＲＵ。
【請求項７】
前記測定された受信した信号は、パイロット信号を含むことを特徴とする請求項５に記載のＷＴＲＵ。
【請求項８】
前記測定ユニットは、前記受信した信号の、信号対干渉比、信号対雑音比及び信号強度の少なくとも１つを測定するように構成されていることを特徴とする請求項５に記載のＷＴＲＵ。
【発明の詳細な説明】
【技術分野】
【０００１】
本発明は、無線通信の分野に関し、より詳細には、ＣＤＭＡ２０００無線通信システムにおいて切換えビームアンテナと共に稼動するＷＴＲＵ（wireless transmit/receive unit：移動無線送受信ユニット）に関する。
【背景技術】
【０００２】
切換えビームシステムは、数多くの固定の指向性ビームが定義されているシステムであり、送受信機は最高の信号品質及び最小の干渉を提供する指向性ビームを選択する。ＷＴＲＵ（wireless transmit/receive unit：移動無線送受信ユニット）とともに指向性ビームを使用する場合、切換えビームアンテナの最良の指向性モードを選択するために、各指向性ビームにおける信号レベル測定値が要求される。
【０００３】
ＷＴＲＵは、各指向性ビームについて受信信号レベルを監視し、最良の指向性ビームを選択し直し、環境変化及びＷＴＲＵの移動に適応する。ＣＤＭＡ２０００システムにおいては、各セルによって継続的に送信されるフォワードパイロットチャネルにおいて測定が行われる。
【発明の概要】
【発明が解決しようとする課題】
【０００４】
データの送受信は、選択された（最良の）アンテナビームを使用して行われるが、ＷＴＲＵは、選択されたアンテナビームにおいて測定も行う。しかしながら、最良のビームが使用されていることを保証するために、ＷＴＲＵは、稼動中に他のアンテナビームを監視する必要がある。測定を行うために他のアンテナビームに切り換えることは、データ損失を引き起こす可能性がある。他のアンテナビームにおけるデータ送受信は、アンテナビームパターンの影響を受けるからである。ビームからビームへのアンテナ利得間の相違は非常に大きい場合がある。
【０００５】
上述した背景技術に鑑み、ＣＤＭＡ２０００システムにおいて稼動する場合、ＷＴＲＵ（wireless transmit/receive unit：移動無線送受信ユニット）が、選択されたアンテナビーム以外の切換えアンテナビーム上で測定を行うことが可能な場合に関して指針を提供することが本発明の目的である。
【課題を解決するための手段】
【０００６】
本発明に従ったこの及び他の目的、特徴及び利点は、複数のセルを備えたＣＤＭＡ２０００無線通信システムにおける切換えビームアンテナと共に稼動するＷＴＲＵによって測定を実行するための方法によって提供される。
【０００７】
切換えビームアンテナは、複数の指向性ビーム及び１つの無指向性ビームを含むアンテナビームを生成するスマートアンテナとすることができる。ＷＴＲＵは、非活動期間の間又は通話中の低トラヒックの間、測定を行う。ＷＴＲＵは、非活動又は低トラヒックの間に信号を受信し測定するために、選択されたアンテナビーム以外のアンテナビームに切り換える。本発明は、他の切換えアンテナビームを使用して、受信した信号を測定した場合に、パケットロスを有利に最小化する。これは、送信すべきデータがほとんどないか又は全くない場合に測定を行うことによって達成される。
【０００８】
測定を行う方法についての第１実施形態は、ＷＴＲＵを活動状態で稼動して、選択されたアンテナビームを使用して、少なくとも１つのセルとデータを交換することに基づいている。データは、割り当てられた基本チャネルを介して、また必要であれば、割り当てられた補助的なチャネルを介して交換される。方法は、補助的なチャネルが割り当てられていない時、少なくとも１つのセルから受信した信号に対して選択されたアンテナビーム以外のアンテナビームに切り換えることをさらに備える。少なくとも１つのセルから受信した信号は、各切り換えられたアンテナビームについて測定される。
【０００９】
測定を行う方法についての第２の実施形態は、ＷＴＲＵを活動状態で稼動して、選択されたアンテナビームを用いて少なくとも１つのセルとデータを交換し及びＷＴＲＵが選択されたアンテナビーム以外のアンテナビームにおいて測定を行うために、制御保留状態となるのを待つことに基づいている。制御保留状態となった場合に、割り当てられた指向性制御チャネルは、選択されたアンテナビームを用いて、少なくとも１つのセルと維持される。方法は、指向性制御チャネルが割り当てられた場合、少なくとも１つのセルから受信する信号に対して選択されたアンテナビーム以外のアンテナビームに切り換えることをさらに備えている。各切り換えられたアンテナビームについて少なくとも１つのセルから受信された信号が測定される。加えて、リバースパイロットチャネルがゲートオフした場合に、切換え及び測定を行うことができる。
【００１０】
測定を行う方法についての第３実施形態は、選択されたアンテナビームを用いて、かつ、アップリンク不連続送信モードとなるを待って、少なくとも１つのセルとデータを交換するための割当てトラヒックチャネルを有するＷＴＲＵの稼動に基づいている。この方法は、アップリンク不連続送信モードにある時に、少なくとも１つのセルから信号を受信するために、選択されたアンテナビーム以外のアンテナビームへの切換えをさらに備えている。少なくとも１つのセルからの受信信号は、各切り換えられたアンテナビームについて測定される。加えて、ＷＴＲＵは、選択されたアンテナビームを使用してダウンリンクトラヒックを監視することができ、監視が閾値を超えた場合に、選択されたアンテナビーム以外のアンテナビームにおける切換え及び測定を停止することができる。
【００１１】
測定を行う方法についての第４実施形態は、ＷＴＲＵが切換えビームアンテナと共に稼動するという情報を含む交換データを用いて少なくとも１つのセルとデータを交換するために、選択されたアンテナビームを使用するＷＴＲＵに基づいている。ネットワークは、ＷＴＲＵが切換えビームアンテナと共に稼動しているという情報に基づいてＷＴＲＵにおける測定の機会（opportunity）を許容するためにチャネル割当てを調整し、それに応じてコマンドを生成する。ＷＴＲＵは、予め定められた時間基準に対して予め定められた稼動状態でＷＴＲＵを稼動するために、ネットーワークからコマンドを受信する。ＷＴＲＵは、予め定められた稼動状態にある時に、少なくとも１つのセルから信号を受信するために、選択されたアンテナビーム以外のアンテナビームに切り換える。ＷＴＲＵは、各切換えアンテナビームについて少なくとも１つのセルから受信した信号を測定する。
【図面の簡単な説明】
【００１２】
【図１】本発明によるＣＤＭＡ２００無線通信システム及びそこで稼動するＷＴＲＵ（wireless transmit/receive unit：移動無線送受信ユニット）の概略図である。
【図２】図１に示すＷＴＲＵのブロック図である。
【図３】図１に示すＣＤＭＡ２００無線通信システムについてのＭＡＣ遷移状態を示す概略図である。
【図４】図１に示すＷＴＲＵによる測定の実行についての実施形態である。
【図５】図１に示すＷＴＲＵによる測定の実行についての実施形態である。
【図６】図１に示すＷＴＲＵによる測定の実行についての実施形態である。
【図７】図１に示すＷＴＲＵによる測定の実行についての実施形態である。
【発明を実施するための形態】
【００１３】
以下、本発明の好適な実施形態が示されている添付の図面を参照して、本発明をより詳細に説明する。しかしながら、本発明を多くの異なる形式で実現することができ、本明細書で示した実施形態に限定して解釈すべきではない。どちらかといえば、この開示は詳細かつ完全であり当業者に対して本発明の範囲を完全に伝達するように、これらの実施形態は提供される。全体を通して、同様の番号は同様の要素を指している。
【００１４】
まず図１及び図２を参照すると、無線通信システムにおいて稼動する無線通信システム１００及びＷＴＲＵ（無線送受信装置：wireless transmit/receive unit）１２０が開示されている。ＷＴＲＵ１２０は、複数の指向性ビーム１４０及び非指向性ビーム１５０を含むアンテナビームを生成するための切換えビームアンテナ１３０を含む。図示した指向性ビーム１４０は、基地局１６０と通信するための切換えビームであり、これはサービングセルでもある。ＷＴＲＵ１２０は、また隣接基地局１８０の周辺にある。
【００１５】
基地局１６０、１８０は、サイトコントローラ、アクセスポイント、又は、当業者により容易に理解されている無線環境における任意の他の種類のインターフェース装置とすることができる。例えば、無線通信システム１００は、ＣＤＭＡ（code division multiple access：符号分割多重接続）２０００システム、及び、当業者に容易に理解されている一般的なＣＤＭＡに適用可能である。
【００１６】
ＷＴＲＵ１２０は、例えば、ＵＥ（ユーザ機器）、移動局、携帯加入者装置及びページャを含む。図２に示すように、ＷＴＲＵ１２０は、切換えビームアンテナ１３０に接続されるビーム切換えユニット２２０、ビーム切換えユニットに接続される送受信装置２４０、及び、送受信装置に接続される測定ユニット２６０を備える。測定ユニット２６０は、異なるセルから受信した信号を測定する。ＣＤＭＡ２０００システムでは、これらの測定にパイロット信号を使用するのが好ましい。しかしながら、セルから送信される他の任意のシグナルをこの目的のために使用することができる。
【００１７】
制御装置２８０は、制御のために、送受信装置２４０、測定ユニット２６０及びビーム切換えユニット２２０に接続される。閾値ユニット２９０も制御装置２８０に接続される。閾値ユニット２９０は、測定ユニット２６０によって実行される測定と共に、比較のために使用される閾値を保存するためのメモリを備えることができる。
【００１８】
図３には、ＣＤＭＡ２０００無線通信システムに対するＭＡＣ遷移状態を示す概略図が提供されている。ＭＡＣの活動は次のステータスで表される。すなわち、活動状態３００、制御保留状態３２０及び休止状態３４０である
活動状態３００では、基本チャネル（ＦＣＨ）及び／又は副チャネル（ＳＣＨ）がＷＴＲＵ１２０に割り当てられ、リンク層及びＰＰＰ（point-to-point protocol／ポイントツーポイントプロトコル）接続がＩＷＦとＭＳとの間で確立される。
【００１９】
制御保留状態３２０において、専用制御チャネルのみがＷＴＲＵ１２０と基地局１６０との間で維持される。低遅延で制御コマンドを送信することが可能である。電力制御はこの状態で維持され、電力制御の集中による高速データ送信開始の遅延を最小限にする。データトラヒックは全く許容されず、一般的に非常に高速なトラヒックチャネルの再割当てが必要な時に実行される。この状態でリバースパイロットチャネルをゲートする（gate）ことができる。
【００２０】
休止状態３４０においては、専用チャネルは全く維持されない。ＰＰＰに対する状態情報が維持される。すなわち、ＷＴＲＵ１２０が登録される。
【００２１】
本発明による、ＷＴＲＵ１２０についての測定の機会及び基地局１６０との連携を議論する前に、背景情報として、まずＣＤＭＡ２０００トラヒックチャネルを議論する。ＣＤＭＡ２０００システムにおけるトラヒックチャネルは、常に基本チャネル及び／又は専用制御チャネルを含む。トラヒックチャネルは、１又は複数の副チャネルをも含むことができる。
【００２２】
基本チャネルは、音声、データ又は信号伝達をサポートする。専用制御チャネルは、信号伝達又はバーストデータをサポートする。副チャネルは、高速データレートサービスをサポートする。
【００２３】
基本チャネル及び専用制御チャネルは、継続割当て（無限期間）を有するチャネルである。副チャネルは、継続可能であり、又は特定の期間に割当て可能であり、期間が満了した後はチャネルは解放される。
【００２４】
一般的に、セルが生成されると、ＷＴＲＵ１２０は基本チャネル及び／又は専用制御チャネルに割り当てられる。そして、ネットワークはＷＴＲＵ１２０の活動及びチャネルの状況を監視し、副チャネル割当てを決定する。ＷＴＲＵ１２０は、副チャネル割当てを要求することが可能である。
【００２５】
ＷＴＲＵ１２０にチャネルを割り当てる際に、ユーザの行動（送信するデータ量）、ユーザの経路損失、干渉及びセル負荷等、いくつかのパラメータがネットワークによって考慮される。
【００２６】
副チャネルが割り当てられると、活動時間及び期間を定義することができる。チャネルは活動時間にはＷＴＲＵ１２０に利用可能であり、特定された期間そのユーザにとって利用可能であり続ける。その後、チャネルは解放され、チャネルを他のＷＴＲＵに割り当てることができる。チャネルを解放するために要求されるシグナリングは存在しない。副チャネルも永久に割り当てることができるが、この場合、ネットワークは、チャネルを解放するためにＷＴＲＵ１２０に特定のメッセージを送信しなければならない。
【００２７】
測定の機会に対する４つの異なる実施形態がＷＴＲＵ１２０によって実行され、ネットワークとの調整は図４から７に示すフロー図を参照して検討する。
【００２８】
パケットデータ送信が集中する性質は、呼出し中の非活動期間に生じる。さらに、（例えば、基本チャネルと副チャネルとの両方が割り当てられた場合）データレートが非常に高い期間があり、（例えば、基本チャネルのみが割り当てられた場合）データレートが非常に低い期間がある。また、シグナリング／制御のみが送信される期間もある（すなわち、制御保留モード）。
【００２９】
切換えビームアンテナ１３０とともに稼動するＷＴＲＵ１２０によって測定が行われる第１の実施形態は、図４におけるフロー図で示される。開始（ブロック４００）から、ブロック４０２で、ＷＴＲＵ１２０は、選択されたアンテナビームを使用して少なくとも１つのセル１６０とデータを交換するために、活動状態で稼動する。データは割り当てられた基本チャネルを介して、また必要ならば、割り当てられた副チャネルを介して、交換される。
【００３０】
ブロック４０４で、方法は、副チャネルが割り当てられていない場合、少なくとも１つのセルから信号を受信するために、選択されたアンテナビーム以外のアンテナビームへの切換えをさらに備えている。ブロック４０６で、少なくとも１つのセルから受信された信号は、各切換えアンテナビームについて測定される。
【００３１】
このように、ＷＴＲＵ１２０は、データレートが低いため副チャネルが割り当てられていない時には切換えビーム測定を行い、アンテナビーム切換えの間、欠落する可能性のあるビット数は少なくなる。方法はブロック４０８で終了する。
【００３２】
例えば、測定を、信号対干渉比、信号対雑音比及び受信信号の信号強度のうちの少なくともひとつの測定で構成することができる。受信した信号を測定する目的は、選択されたアンテナビームに留まるか又はより高いリンクの品質を提供する他のアンテナビームに切り換えるかに関して決定可能なように、リンクの品質を決定することである。ＣＤＭＡ２０００システムにとって、この受信信号はパイロット信号である。
【００３３】
切換えビームアンテナ１３０と共に稼動するＷＴＲＵ１２０によって測定が行われる第２の実施形態は、図５におけるフロー図で示される。開始（ブロック５００）から、ブロック５０２で、ＷＴＲＵ１２０は、選択されたアンテナビームを使用して、少なくとも１つのセル１６０とデータを交換するために活動状態で稼動している。ブロック５０４で、ＷＴＲＵ１２０は制御保留状態となるのを待っている。
【００３４】
ブロック５０６で、方法はさらに、制御保留状態となると、選択されたアンテナビームを使用して、少なくとも１つのセルとの割り当て専用制御チャネルを維持することを備えている。ブロック５０８で、ＷＴＲＵ１２０は、専用制御チャネルが割り当てられた時に、少なくとも１つのセル１６０から信号を受信するために、選択されたアンテナビーム以外のアンテナビームに切り換える。ステップＳ５１０で、少なくとも１つのセルからの受信信号は、各切換えアンテナビームについて測定される。加えて、当業者には既に理解されているように、リバースパイロットチャネルがゲートオフ（gate off）した時に切換え及び測定を行う。方法はブロック５１２で終了する。
【００３５】
切換えビームアンテナ１３０とともに稼動するＷＴＲＵ１２０により測定が行われる第３実施形態は、図６におけるフロー図で示される。ＷＴＲＵ１２０及び／又は基地局１６０各々は、時間のある期間、送信を中断することができる。この機能はＤＴＸ（discontinuous transmission（不連続送信））と呼ばれる。ＤＴＸの決定は、フレームの原理（basis）によってフレーム上で行われ、ＷＴＲＵ１２０はいつダウンリンクがＤＴＸとなるか認識していない。ＷＴＲＵ１２０は、測定を行う（アップリンクにおいてＤＴＸとなっている間、測定を行う）ための指針として、（アップリンクにおいて）自身のＤＴＸを使用することが可能である。
【００３６】
しかしながら、アップリンクがＤＴＸとなっているという事実は、ダウンリンクがＤＴＸとなっているということを意味していない。したがって、この指針に従う場合、ＷＴＲＵ１２０はダウンリンクトラヒックをも考慮にいれ、好ましくはダウンリンクにおけるトラヒック負荷が少ない時に測定を行う。
【００３７】
開始（ブロック６００）から、ブロック６０２で、ＷＴＲＵ１２０は選択されたアンテナビームを使用して、少なくとも１つのセル１６０とデータを交換するために、割り当てられたトラヒックチャネルで稼動し、ブロック６０４でアップリンク不連続送信モードになるのを待つ。
【００３８】
ブロック６０６で、方法は、アップリンク不連続送信モードにある時、少なくとも１つのセル１６０から信号を受信するために選択されたアンテナビーム以外のアンテナビームに切り換えることをさらに備える。ブロック６０８で、少なくとも１つのセルからの受信信号が各切換えアンテナビームについて測定される。
【００３９】
加えて、選択されたアンテナビームを使用するダウンリンクトラヒックを監視することができ、監視が閾値を超えた場合、選択されたアンテナビーム以外のアンテナビームにおける切換え及び測定を停止することができる。方法はブロック６１０で終了する。
【００４０】
切換えビームアンテナ１３０と共に稼動するＷＴＲＵ１２０によって測定が行われる第４の実施形態は、図７におけるフロー図で示される。開始（ブロック７００）から、ブロック７０２で、ＷＴＲＵ１２０は、少なくとも１つのセル１６０とデータを交換するために、選択されたアンテナビームを使用する。交換されるデータは、ＷＴＲＵ１２０が切換えビームアンテナ１３０と共に稼動しているという情報を含む。
【００４１】
ブロック７０４で、ＷＴＲＵ１２０における測定の機会を許容するチャネル割当てを調整するネットワークは、ＷＴＲＵは切換えビームアンテナと共に稼動するという情報に基づいており、これに応じてコマンドを生成する。ブロック７０６で、予め定められた時間に対する予め定められた稼動状態で稼動するために、コマンドはＷＴＲＵ１２０によって受信される。
【００４２】
ブロック７０８で、方法は、予め定められた稼動状態にある時に、少なくとも１つのセル１６０から信号を受信するために、選択されたアンテナビーム以外のアンテナビームに切り換えることをさらに備えている。ブロック７１０で、少なくとも１つのセルから受信された信号は、各切換えアンテナビームについて測定される。
【００４３】
上述したように、予め定められた稼動状態は、割り当てられた副チャネルを含まずに割り当てられた基本チャネルを含む活動状態３００を備えることができる。上述したように、予め定められた稼動状態は、制御保留状態３２０をも備えることができる。ＷＴＲＵ１２０は、周期的に予め定められた稼動状態となる。
【００４４】
一般的に、ＷＴＲＵ１２０にチャネルを割り当てた場合、ユーザ活動（送信すべきデータ量）、ユーザパス損失、干渉及びセル負荷等の、いくつかのパラメータがネットワークによって考慮される。もしネットワークがＷＴＲＵ１２０における切換えビームアンテナ１３０の存在を認識している場合、ネットワークはチャネル割当てを調整するためにこの情報をも使用することが可能であり、ビーム切換え動作をサポートするためにＷＴＲＵにおける測定の機会を許容する。これにより、有利に、ＷＴＵ１２０はある使用されていない期間に測定を行うことが可能となり、測定の機会が増加する。例えば、ネットワークは、ある周期でＷＴＲＵ１２０に制御保留状態３２０を送信し、測定を行うことを可能とする。これは、データ送信はさほど慎重を期するべき（sensitive）遅延がないという事実のために可能となる。方法はブロック７１２で終了する。
【００４５】
本発明は、選択されたアンテナビーム以外の他の切換えアンテナビームを使用して受信した信号を測定する際に、有利にパケットロスを最小化する。送信すべきデータが少ないか又は何もない場合に測定を行うことによって、これが達成される。
【００４６】
前述した説明及び関連する図で表される技術の恩恵を有する当業者は、本発明の多くの変形及び他の実施形態を思いつくであろう。従って、本発明は、開示した特定の実施形態に限定されず、変形及び実施形態は特許請求の範囲内に含まれることを意図していることがわかる。
【図１】
2010074841.tif 000003
【図２】
2010074841.tif 000004
【図３】
2010074841.tif 000005
【図４】
2010074841.tif 000006
【図５】
2010074841.tif 000007
【図６】
2010074841.tif 000008
【図７】
2010074841.tif 000009